(57)【要約】【課題】色判定機能によって決定された原稿の色属性を、ユーザが任意に変更することが可能な画像処理装置および画像処理システムを提供する。【解決手段】  色判定部１０１が、原稿に含まれる各ページの色を判定して、各ページの色属性を決定する。ページ画像表示処理部１０２は、表示部１５に各ページを当該ページの色属性に応じた態様で表示するサムネイル画像を表示させる。ユーザが当該表示を見てページの色属性を変更する指示を入力すると、当該指示を色属性変更受付部１０３が受け付け、色属性変更処理部１０４が指定されたページの色属性を変更する。より具体的には、画像データ変換処理部１０４１が、当該ページの出力画像データとして出力画像メモリ２０に格納されている画像データを、指定された新たな色属性の画像データに変換する。【選択図】図５
2008277955.tif 000002
【特許請求の範囲】
【請求項１】
原稿に含まれる少なくとも１以上のページのそれぞれの色を判定して、各ページの色属性を決定する色判定手段と、
表示手段に、前記各ページを当該ページの色属性に応じた態様で表示させるページ画像表示制御手段と、
前記各ページについて、色属性を変更する指示を受け付ける変更受付手段と、
前記色属性を変更する指示に応じて、指示されたページの色属性を変更する色属性変更手段と、
を備えることを特徴とする画像処理装置。
【請求項２】
請求項１に記載の画像処理装置であって、
前記各ページを読み取って、前記色判定手段による判定結果に応じた色属性の画像データを生成して、当該ページの出力画像データとして取得する出力画像データ取得手段、
を備え、
前記色属性変更手段が、
前記変更受付手段がページの色属性を第１の色属性から第２の色属性に変更する指示を受け付けた場合、当該ページの出力用画像データとして取得されている前記第１の色属性の画像データを、前記第２の色属性の画像データに変換する画像データ変換手段、
を備えることを特徴とする画像処理装置。
【請求項３】
請求項１に記載の画像処理装置であって、
前記各ページを読み取って、それぞれが互いに異なる色属性である複数の画像データを生成して、それぞれを当該ページの出力画像データ候補として取得する出力画像データ候補取得手段と、
前記出力用画像データ候補のうち、前記色判定手段による判定結果に応じた色属性の画像データを、当該ページの出力画像データとして有効化する有効画像データ決定手段と、
を備え、
前記色属性変更手段が、
前記変更受付手段がページの色属性を第１の色属性から第２の色属性に変更する指示を受け付けた場合、当該ページについて取得された前記複数の出力画像データ候補のうち、前記第１の色属性の画像データに換えて前記第２の色属性の画像データを当該ページの出力画像データとして有効化する有効画像データ変更手段、
を備えることを特徴とする画像処理装置。
【請求項４】
請求項１から３のいずれかに記載の画像処理装置であって、
前記変更受付手段が受け付けた前記色属性を変更する指示の履歴を管理する指示履歴管理手段と、
前記色属性を変更する指示の履歴に応じて、前記色判定手段の判定基準を変更する判定基準変更手段と、
を備えることを特徴とする画像処理装置。
【請求項５】
請求項１から４のいずれかに記載の画像処理装置であって、
前記ページ画像表示制御手段が、
前記各ページを読み取って取得した読取画像データに基づいて、前記読取画像データよりも解像度の低いサムネイル画像データを生成する表示用画像データ生成手段、
を備え、
前記ページ画像表示制御手段が、前記表示手段に前記各ページの前記サムネイル画像データを表示させることを特徴とする画像処理装置。
【請求項６】
画像処理装置と、前記画像処理装置と通信回線を介して接続された通信端末装置とを備える画像処理システムであって、
前記画像処理装置が、
原稿に含まれる少なくとも１以上のページのそれぞれの色を判定して、各ページの色属性を決定する色判定手段と、
前記通信端末装置の表示手段に、前記各ページを当該ページの色属性に応じた態様で表示させるページ画像表示制御手段と、
前記通信端末装置において受け付けられた前記各ページの色属性を変更する指示の情報を、前記通信端末装置から取得する変更指示情報取得手段と、
前記色属性を変更する指示の情報に応じて、指示されたページの色属性を変更する色属性変更手段と、
を備えることを特徴とする画像処理システム。
【発明の詳細な説明】
【技術分野】
【０００１】
この発明は、原稿の色を自動に判定する機能を備える画像処理装置および画像処理システムに関する。
【背景技術】
【０００２】
ファクシミリ装置、複写機、プリンタ等の各種の画像処理装置においては、原稿に含まれる各ページの色属性を判定する機能、すなわち、ページが、カラーのページ、グレーのページ、モノクロのページ、のうちのいずれであるかを自動に判定する色判定機能（所謂、ＡＣＳ（Auto Color Selection）機能）を備えるものがある（例えば、特許文献１，２参照）。また、原稿の読み取り処理中に、各ページについての色判定結果をユーザに知得させる技術も考案されている（特許文献３参照）。各ページの色を判定して当該ページの色属性を予め特定しておくことによって、ページの色に応じた適切な画像処理を実行することが可能となる。
【０００３】
ところが、時には、色判定機能により下された色判定結果が、ユーザの意図したものではない場合がある。
【０００４】
そこで、例えば特許文献４には、ユーザの好みに応じた色判定結果を得るべく、原稿がカラー画像であるかモノクロ画像であるかを規定する色判定の境界値を適宜変更する技術が記載されている。ここでは、色判定機能において原稿がカラー画像とモノクロ画像の境界付近にあると判断された場合は、当該原稿の色をユーザに決定させる。例えばそこで、ユーザが原稿をカラーと決定入力した場合、当該原稿をカラー画像とみなして処理を実行するとともに、色判定の基準値を当該原稿がカラー画像と判断されるような値に変更する。以降の色判定においては、当該変更された基準値に基づいて色判定が行われることになるので、ユーザの好みに応じた色判定結果が得られる可能性が高くなる。
【０００５】
【特許文献１】特開２００３−３２０７１５号公報
【特許文献２】特開平９−１８６８５２号公報
【特許文献３】特開２００５−６４５７９号公報
【特許文献４】特開２００１−２６８３７９号公報
【発明の開示】
【発明が解決しようとする課題】
【０００６】
特許文献４に記載の技術においては、色判定の境界付近にあると判断された原稿についてはユーザが自ら原稿の色を決定し、境界付近にない原稿については色判定機能によって自動に色判定する。ここでは、一旦自動に色判定された原稿については、その判定結果をユーザが変更することはできない。したがって、ユーザがモノクロと判定してほしかった原稿であっても、色判定においてカラーと判定されてしまえば、当該原稿はカラー原稿とみなされて、当該原稿に対してはカラーモードで所定の画像処理が実行されてしまう。
【０００７】
この発明は、このような事情に鑑みてなされたものであって、色判定機能によって決定された原稿の色属性を、ユーザがページ単位で任意に変更することが可能な画像処理装置および画像処理システムを提供することを目的としている。
【課題を解決するための手段】
【０００８】
請求項１の発明は、原稿に含まれる少なくとも１以上のページのそれぞれの色を判定して、各ページの色属性を決定する色判定手段と、表示手段に、前記各ページを当該ページの色属性に応じた態様で表示させるページ画像表示制御手段と、前記各ページについて、色属性を変更する指示を受け付ける変更受付手段と、前記色属性を変更する指示に応じて、指示されたページの色属性を変更する色属性変更手段と、を備える。
【０００９】
請求項２の発明は、請求項１に記載の画像処理装置であって、前記各ページを読み取って、前記色判定手段による判定結果に応じた色属性の画像データを生成して、当該ページの出力画像データとして取得する出力画像データ取得手段、を備え、前記色属性変更手段が、前記変更受付手段がページの色属性を第１の色属性から第２の色属性に変更する指示を受け付けた場合、当該ページの出力用画像データとして取得されている前記第１の色属性の画像データを、前記第２の色属性の画像データに変換する画像データ変換手段、を備える。
【００１０】
請求項３の発明は、請求項１に記載の画像処理装置であって、前記各ページを読み取って、それぞれが互いに異なる色属性である複数の画像データを生成して、それぞれを当該ページの出力画像データ候補として取得する出力画像データ候補取得手段と、前記出力用画像データ候補のうち、前記色判定手段による判定結果に応じた色属性の画像データを、当該ページの出力画像データとして有効化する有効画像データ決定手段と、を備え、前記色属性変更手段が、前記変更受付手段がページの色属性を第１の色属性から第２の色属性に変更する指示を受け付けた場合、当該ページについて取得された前記複数の出力画像データ候補のうち、前記第１の色属性の画像データに換えて前記第２の色属性の画像データを当該ページの出力画像データとして有効化する有効画像データ変更手段、を備える。
【００１１】
請求項４の発明は、請求項１から３のいずれかに記載の画像処理装置であって、前記変更受付手段が受け付けた前記色属性を変更する指示の履歴を管理する指示履歴管理手段と、前記色属性を変更する指示の履歴に応じて、前記色判定手段の判定基準を変更する判定基準変更手段と、を備える。
【００１２】
請求項５の発明は、請求項１から４のいずれかに記載の画像処理装置であって、前記ページ画像表示制御手段が、前記各ページを読み取って取得した読取画像データに基づいて、前記読取画像データよりも解像度の低いサムネイル画像データを生成する表示用画像データ生成手段、を備え、前記ページ画像表示制御手段が、前記表示手段に前記各ページの前記サムネイル画像データを表示させる。
【００１３】
請求項６の発明は、画像処理装置と、前記画像処理装置と通信回線を介して接続された通信端末装置とを備える画像処理システムであって、前記画像処理装置が、原稿に含まれる少なくとも１以上のページのそれぞれの色を判定して、各ページの色属性を決定する色判定手段と、前記通信端末装置の表示手段に、前記各ページを当該ページの色属性に応じた態様で表示させるページ画像表示制御手段と、前記通信端末装置において受け付けられた前記各ページの色属性を変更する指示の情報を、前記通信端末装置から取得する変更指示情報取得手段と、前記色属性を変更する指示の情報に応じて、指示されたページの色属性を変更する色属性変更手段と、を備える。
【発明の効果】
【００１４】
請求項１〜６に記載の発明によれば、色判定手段により決定されたページの色属性を変更する指示を受け付けるとともに、当該指示に応じてページの色属性を変更する。したがって、ユーザは、色判定手段により決定されたページの色属性を任意に変更することができる。
【００１５】
特に、請求項２に記載の発明によれば、色判定手段による判定結果に応じた色属性の画像データを出力画像データとして取得しておき、色属性を変更する指示を受け付けた場合には、出力画像データを新たな色属性の画像データに変換する。したがって、変更指示に備えて複数の出力画像データを保持しなくとも、ユーザの所望する色属性の出力画像データを得ることができる。
【００１６】
特に、請求項３に記載の発明によれば、それぞれが互いに異なる色属性である複数の画像データを生成して当該ページの出力画像データ候補として取得し、複数の出力用画像データ候補のうち、ページの色属性に応じたものを出力画像データとして有効化する。したがって、色属性を変更する指示に対して迅速に対応して、ユーザの所望する色属性の出力画像データを得ることができる。
【００１７】
特に、請求項４に記載の発明によれば、色属性を変更する指示の履歴に応じて、色判定手段の判定基準を変更するので、色判定手段に、ユーザの使用状況や好みを反映させた色判定を実行させることができる。
【発明を実施するための最良の形態】
【００１８】
〔第１の実施の形態〕
〈１．デジタル複合機の構成〉
この発明の第１の実施の形態に相当する画像処理装置の機能が組み込まれたデジタル複合機１の構成について図１を参照しながら説明する。図１は、この発明の実施の形態に係るデジタル複合機１の構成を示すブロック図である。
【００１９】
デジタル複合機１は、ＦＡＸ機能、コピー機能、スキャン機能、プリント機能などの複数の機能を有する複合機（ＭＦＰ装置）として構成されている。デジタル複合機１は、制御部１１と、ＲＯＭ１２と、ＲＡＭ１３と、操作部１４と、表示部１５と、画像読取部１６と、画像処理部１７と、画像記録部１８と、入力画像メモリ１９と、出力画像メモリ２０と、大容量蓄積部２１と、通信関係の機能部２２〜２５とを、バスライン２６を介して電気的に接続した構成となっている。
【００２０】
制御部１１は、ＣＰＵで構成されている。制御部１１は、ＲＯＭ１２に記憶されたプログラムに基づいて上記のハードウエア各部を制御し、デジタル複合機１の機能を実現する。
【００２１】
ＲＯＭ１２は、デジタル複合機１の制御に必要なプログラムやデータを予め格納した読み出し専用の記憶装置である。
【００２２】
ＲＡＭ１３は、読み出しと書き込みとが可能な記憶装置であり、画像データ、ＦＡＸ番号、メールアドレスなどの一時的に蓄積される諸データや、継続的に保持すべき各種のデータ、制御部１１による演算処理の際に発生するデータなどを記憶する。ＲＡＭ１３はＳＲＡＭなどで構成される。
【００２３】
操作部１４は、文字キー、テンキー、ファンクションキーなどの各種キーによって構成され、コマンドやテキストデータの入力といったユーザ操作を受け付ける。操作部１４が受けたユーザ操作は信号として制御部１１に入力される。制御部１１はユーザ操作に基づいて各部の動作を制御する。
【００２４】
表示部１５は、デジタル複合機１の動作状態や、画像データなどを表示する表示装置であり、液晶ディスプレイなどの表示装置により構成される。なお、操作部１４に設けられる各種のキーは、この表示部１５のディスプレイ画面上に設けたタッチパネルによって実現されてもよい。
【００２５】
画像読取部１６は、原稿上の画像を読取素子（ＣＣＤラインセンサ１６１）によって読み取るスキャナーである。画像読取部１６は、ガラス台上に載置された原稿の表面を読取素子が走査して画像を読み取るタイプ（ＦＢＳ（Flat Bed Scanner）方式）のスキャナーであってもよく、原稿の載置台（図示省略）に載置された原稿を、ＡＤＦ（Auto Document Feeder）によって搬送し、搬送される原稿の表面を静止した読取素子によって走査して画像を読み取るタイプ（ＡＤＦ方式）のスキャナーであってもよい。また、ＡＤＦ方式には、移動する原稿を静止した読取光学系で読み取る方式（シートスルー方式）と、静止した原稿を移動する読取光学系で読み取る方式とがあるが、いずれの方式であってもよい。後者の方式を採用する場合、画像読取部１６は、コンタクトガラス上に原稿を静止させ、移動する読取光学系で静止した原稿を読み取り、読み取りが完了した原稿を排出するという読み取り手順を繰り返し実行する。
【００２６】
ＣＣＤラインセンサ１６１は、所定の走査速度（原稿と読取光学系との相対移動速度）で原稿を走査する読取光学系から導かれた光を受光して、一定の周期で読み取りを繰り返すことにより、ＲＧＢ色空間で表現された画像データ、すなわち、Ｒ（赤），Ｇ（緑），Ｂ（青）の色成分データを有する画像データ（ＲＧＢ画像データ）を生成する。なお、読取光学系の走査速度は、ＣＣＤラインセンサ１６１が生成する画像データの解像度（より具体的には、副走査方向の解像度）に基づいて設定する。すなわち、副走査方向の解像度が高くなるほど、読取光学系の走査速度を遅く設定し、副走査方向の解像度が低くなるほど、読取光学系の走査速度を速く設定する。
【００２７】
画像処理部１７は、受信された画像データや、画像読取部１６から取得した画像データに種々の画像処理を行う処理部である。例えば、Ａ／Ｄ変換、各種の補正処理（例えば、シェーディング補正やガンマ補正）、表色系の変換処理（例えば、行列変換によって、ＲＧＢ表色系の画像データをＹＣｂＣｒ表色系の画像データに変換する処理）、色調整、画像の合成などといった画像処理を行う。なお、画像処理部１７は、ＲＯＭ１２に格納されたプログラムによってソフトウェア的に実現されてもよい。
【００２８】
画像記録部１８は、出力画像メモリ２０に格納された画像データ等を記録紙上へ記録するプリンタである。画像記録部１８には、例えば、電子写真方式のプリンタを採用することができる。
【００２９】
入力画像メモリ１９は、ＬＡＮＩ／Ｆ２４やＮＣＵ２５を通じて外部装置２９，３２，３４から受信した画像データ、画像読取部１６において取得された画像データ、画像処理部１７において処理された画像データ等（以下において、「入力画像データＤｉ」と総称する（図２参照））を、一時的に記憶するための記憶装置である。画像メモリ２０は、読み出しと書き込みとが可能なＤＲＡＭ等のメモリにより構成される。
【００３０】
出力画像メモリ２０は、出力に用いる画像データ（以下において、「出力画像データＤｏ」という（図３参照））を記憶するための記憶装置である。ただしここでいう「出力」には、例えば、画像記録部１８によるプリント出力、通信回線を介して接続された外部端末に対する送信処理等が含まれる。出力画像メモリ２０は、読み出しと書き込みとが可能なＤＲＡＭ等のメモリにより構成される。
【００３１】
大容量蓄積部２１は、ハードディスクなどにより構成される。大容量蓄積部２１は、画像読取部１６により処理された画像データを蓄積することができる。
【００３２】
さらにこのデジタル複合機１には、通信関係の機能部として、画像データ等を複数のプロトコルに対応して符号化/復号化するコーデック（ＣＯＤＥＣ）２２と、送受信データの変調および復調を行うモデム２３と、ＬＡＮ（ローカルエリアネットワーク）２７とのインターフェイスに相当するＬＡＮＩ／Ｆ２４と、電話回線の開閉制御を行うＮＣＵ２５とが、バスライン２６を介して電気的に接続した構成となっている。
【００３３】
なお、ＣＯＤＥＣ２２による符号化としては、２値データを符号化する場合には、ＭＨ（Modified Huffman）、ＭＲ（Modified Read）、ＭＭＲ（Modified MR）、および、ＪＢＩＧ（Joint Bi-level Image experts Group）のいずれかの方式が採用される。なお、ＣＯＤＥＣ２２は、多値データの符号化も行う。多値データの符号化は、例えばＪＰＥＧ方式にて行う。
【００３４】
次に、このデジタル複合機１の通信環境について説明する。デジタル複合機１は、ＬＡＮ２７と接続されている。ＬＡＮ２７にはメールサーバ２８や外部端末２９などが接続されている。また、ＬＡＮ２７は、ルータ３０などを介してインターネット３１に接続されている。このような構成によって、デジタル複合機１は、ＬＡＮ２７を介して接続された外部端末２９や、インターネット３１を介して接続された外部端末３２と電子メール通信などを行うことができる。さらに、デジタル複合機１は、アナログ回線用のデータ通信ネットワークであるＰＳＴＮ（公衆交換電話網）３３と接続されている。これによって、デジタル複合機１はＰＳＴＮ３３を介して接続された外部端末３４との通信を行うことができる。外部端末２９，３２，３４は、モデム接続されたパソコン、デジタル複合機１と同様の装置、固定電話、携帯電話、ＦＡＸ専用機、等である。
【００３５】
〈２．画像データの取得処理〉
次に、入力画像データＤｉおよび出力画像データＤｏの取得処理について、図２を参照しながら説明する。図２は、色属性が「カラー」「グレー」「モノクロ」の各場合について、入力画像データＤｉおよび出力画像データＤｏを取得する態様を模式的に示す図である。
【００３６】
デジタル複合機１は、多階調の画像データ（例えば、画像読取部１６が読み取った原稿の画像データ）の色を自動に判定する色判定機能（所謂、ＡＣＳ機能）を実現する機能部である色判定部１０１を備えている（図５参照）。入力画像データＤｉを取得するにあたっては、まずこの色判定部１０１が、原稿に含まれる少なくとも１以上のページのそれぞれの色を判定して、各ページの色属性を決定する。すなわち、色判定部１０１は、プレスキャン（すなわち、各ページの画像データを取得するべく原稿を読み取る前に、色判定のために原稿を粗く読み取る処理）によって多階調の画像データを取得し、当該画像データに含まれる画素データの色成分を解析することによって、ページの色を判定する。ページがカラーと判定された場合、色判定部１０１は、当該ページの色属性を「カラー」と決定する。また、グレーと判定された場合は色属性を「グレー」と決定し、モノクロと判定された場合は色属性を「モノクロ」と決定する。
【００３７】
したがって、この実施形態における「色属性」は、具体的には、判定対象となる画像（ページ画像）がどのような色と階調を用いて表現されているかという「色表現属性」に相当する。より具体的には、画像表現の基礎となる色数と階調数によって画像をそれぞれ分類した「色数属性」や「階調表現属性」の組み合わせである。一般的には、この「色表現属性」は、この実施形態で想定しているモノクロ（すなわち白黒２階調）、グレー（白黒の多階調）、カラー（３原色を含む多階調のフルカラー）のほか、単色カラー（黒以外の特定の１色の２階調あるいは多階調表現）などが含まれていてもよい。ただし、ここでの「多階調」とは３以上の階調を指す。これらはプリントなどによって画像を可視的形成（シート媒体上に固定形成）するにあたって、どのような種類と数の色要素（黒トナー、カラートナーなど）を用いるかということに関係することから、あらかじめ装置に準備された画像形成の色モードないしは色表現カテゴリーに対応させた属性であるとも言える。各ページの色属性は、後述するファイル管理テーブルＴ２に記憶される。
【００３８】
色判定部１０１がページの色属性を決定すると、続いて、画像読取部１６が、ページを読み取って多階調のＲＧＢ画像データを取得する。そして、画像処理部１７が、画像読取部１６が取得したＲＧＢ画像データを、多階調のＹＣｂＣｒ画像データ（ＹＣｂＣｒ色空間で表現されたカラーの画像データ）に変換する。得られたＹＣｂＣｒ画像データ（以下において「カラー入力画像データＣｉ」という）は、原稿の入力画像データＤｉとして入力画像メモリ１９に記憶される。
【００３９】
続いて、入力画像データＤｉに基づいて、出力画像データＤｏが取得される。この実施の形態においては、色判定部１０１による判定結果に応じた色属性の画像データが出力画像データＤｏとして取得される。
【００４０】
〔色属性が「カラー」と判定されたページの場合〕
この場合、カラーの画像データが出力画像データＤｏとして取得される。まず、ＣＯＤＥＣ２２が、入力画像メモリ１９に記憶された入力画像データＤｉ（すなわち、カラー入力画像データＣｉ）を、ＪＰＥＧ方式等で圧縮してカラーの画像データ（以下において「カラー出力画像データＣｏ」という）を取得する。取得されたカラー出力画像データＣｏが、原稿の出力画像データＤｏとして出力画像メモリ２０に格納される（図２（ａ））。
【００４１】
〔色属性が「グレー」と判定されたページの場合〕
この場合、グレーの画像データが出力画像データＤｏとして取得される。まず、画像処理部１７が、入力画像メモリ１９に記憶された入力画像データＤｉ（すなわち、カラー入力画像データＣｉ）のカラー情報を破棄するとともに、輝度成分を誤差拡散法や組織的ディザ法等を用いて二値化する。そして、ＣＯＤＥＣ２２が、得られたＹＣｂＣｒ画像データの輝度成分をＭＭＲ方式等で圧縮してグレーの画像データ（以下において「グレー出力画像データＧｏ」という）を取得する。取得されたグレー出力画像データＧｏが、原稿の出力画像データＤｏとして出力画像メモリ２０に格納される（図２（ｂ））。
【００４２】
〔色属性が「モノクロ」と判定されたページの場合〕
この場合、モノクロの画像データが出力画像データＤｏとして取得される。まず、画像処理部１７が、入力画像メモリ１９に記憶された入力画像データＤｉ（すなわち、カラー入力画像データＣｉ）のカラー情報を破棄するとともに、輝度成分を単純二値化法等を用いて二値化する。そして、ＣＯＤＥＣ２２が、得られたＹＣｂＣｒ画像データの輝度成分をＭＭＲ方式等で圧縮してモノクロの画像データ（以下において「モノクロ出力画像データＭｏ」という）を取得する。取得されたモノクロ出力画像データＭｏが、原稿の出力画像データＤｏとして出力画像メモリ２０に格納される（図２（ｃ））。
【００４３】
なお、出力画像データＤｏのそれぞれは、所定の識別符号（ファイルＩＤ）が付与された上で出力画像メモリ２０に格納される。これらファイルＩＤは、後述するファイル管理テーブルＴ２にて管理される。
【００４４】
〈３．データ管理の態様〉
デジタル複合機１は、出力画像メモリ２０に格納された出力画像データＤｏを、ＲＡＭ１３等に格納された文書管理テーブルＴ１とファイル管理テーブルＴ２とを用いて管理する。出力画像データＤｏの管理態様について、図３、図４を参照しながら説明する。図３は、文書管理テーブルＴ１の構成例を示す図である。図４は、ファイル管理テーブルＴ２の構成例を示す図である。
【００４５】
図３を参照する。文書管理テーブルＴ１は、画像読取部１６が読み取った原稿を、文書単位で管理するテーブルである。制御部１１は、画像読取部１６が原稿を読み取った際に、当該読み取られた原稿に所定の文書ＩＤを付与し、当該原稿に係る所定の情報（例えば、原稿に含まれるページ数、原稿を読み取った日時、原稿の件名等）を、文書ＩＤと関連づけて文書管理テーブルＴ１に格納する。さらに、原稿に含まれる各ページのファイルＩＤを、文書ＩＤと関連づけて文書管理テーブルＴ１に格納する。
【００４６】
図４を参照する。ファイル管理テーブルＴ２は、画像読取部１６が読み取った原稿を、ページ単位で管理するテーブルである。制御部１１は、画像読取部１６が原稿を読み取った際に、当該読み取られた原稿に含まれる各ページに所定のファイルＩＤを付与し、当該ページの色属性（すなわち、色判定部１０１により決定された色属性）および当該ページの出力画像データＤｏのファイルパスを、ファイルＩＤと関連づけてファイル管理テーブルＴ２に格納する。
【００４７】
例えば、画像読取部１６が全５ページからなる原稿を読み取った場合、制御部１１は、当該原稿に文書ＩＤ（例えば「１」）を付与し、当該原稿に係る所定の情報（原稿に含まれるページ数「５」、原稿を読み取った日時「０７／２／５  ９：００」、原稿の件名「テスト」）を、文書ＩＤ「１」と関連づけて文書管理テーブルＴ１に格納する（図３参照）。また、当該原稿に含まれるページのそれぞれにファイルＩＤ「１」「２」・・を付与し、各ページの色属性および各ページの出力画像データＤｏのファイルパスを、ファイルＩＤと関連づけてファイル管理テーブルＴ２に格納する。さらに、原稿に含まれる各ページのファイルＩＤ「１」「２」「３」「４」「５」を、文書ＩＤ「１」と関連づけて文書管理テーブルＴ１に格納する（図３参照）。
【００４８】
したがって、文書管理テーブルＴ１およびファイル管理テーブルＴ２を参照すれば、各文書に含まれる各ページの色属性および出力画像データＤｏのファイルパスを特定することができる。例えば、図４に例示されるファイル管理テーブルＴ２を参照すれば、文書ＩＤ「１」の第１ページの色属性は「カラー」であり、出力画像データＤｏのファイルパスは「data\scan\001c.jpg」であると特定することができる。
【００４９】
〈４．画像データの出力処理〉
上述の通り、デジタル複合機１においては、ファイル管理テーブルＴ２にて、原稿に含まれる各ページの色属性をファイルＩＤと関連づけて記憶する。したがって、出力画像データＤｏを出力する場合に、ページの色属性に応じた適切な処理を行うことができる。
【００５０】
例えば、出力画像データＤｏを画像記録部１８によりプリント出力する場合、画像記録部１８は、まず、プリントするページの色属性をファイル管理テーブルＴ２を参照して判断し、色属性が「カラー」であれば、当該ページの出力画像データＤｏ（すなわち、カラー出力画像データＣｏ）を、「Ｙ」「Ｍ」「Ｃ」「Ｋ」の画像形成エンジンを用いて記録紙上に画像形成する。一方、色属性が「モノクロ」であれば、出力画像データＤｏ（すなわち、モノクロ出力画像データＭｏ）を「Ｋ」の画像形成エンジンのみを用いて記録紙上に画像形成する。このようにページの色属性に応じた処理態様を実行することによって、適切かつ無駄のない出力処理を実行することができる。
【００５１】
〈５．色属性の変更に関する構成〉
上述の通り、デジタル複合機１は、原稿に含まれる各ページの色を判定して各ページの色属性を決定する機能部（色判定部１０１）を備え、色判定部１０１により決定された各ページの色属性は、ファイル管理テーブルＴ２に記憶される。デジタル複合機１は、色判定部１０１により決定された各ページの色属性を、ユーザからの指示に応じて、ページ単位で変更する機能（色属性変更機能）を備える。
【００５２】
色属性変更機能について、図５を参照しながら説明する。図５は、色属性変更機能に関する構成を示すブロック図である。デジタル複合機１は、色属性変更機能に関する構成として、色判定部１０１と、ページ画像表示処理部１０２と、色属性変更受付部１０３と、色属性変更処理部１０４と、変更履歴管理部１０５と、色判定基準変更部１０６とを備える。なお、これら各機能部は、制御部１１がプログラムを実行することにより実現される構成要素である。
【００５３】
ページ画像表示処理部１０２は、表示部１５に、後述する「ページ画像表示画面Ｅ」を表示させるとともに、色属性変更受付部１０３が色属性の変更指示をユーザから受け付けた場合に、ページ画像表示画面Ｅを新たなページ画像表示画面Ｅｎに更新する。ページ画像表示処理部１０２は、表示用画像生成処理部１０２１を備えている。
【００５４】
表示用画像生成処理部１０２１は、原稿に含まれる各ページについて、それぞれが互いに異なる色属性である複数のサムネイル画像（すなわち、ページを「カラー」で表示するサムネイル画像（以下において「第１の表示用画像データ候補Ｓ（ｃ）」という）と、「モノクロ」で表示するサムネイル画像（以下において「第２の表示用画像データ候補Ｓ（ｍ）」という）と、「グレー」で表示するサムネイル画像（以下において「第３の表示用画像データ候補Ｓ（ｇ）」という）の画像データを生成する。
【００５５】
より具体的には、入力画像データＤｉ（すなわち、カラー入力画像データＣｉ）の解像度を下げてファイルサイズを小さくし、さらに縮小処理を行うことによって、第１の表示用画像データ候補Ｓ（ｃ）を生成する。また、入力画像データＤｉの解像度を下げてファイルサイズを小さくし、さらにカラー情報を破棄するとともに輝度成分を二値化し、さらに縮小処理を行うことによって、第２の表示用画像データ候補Ｓ（ｍ）を生成する。また、入力画像データＤｉの解像度を下げてファイルサイズを小さくし、さらに縮小処理を行ったデータに対して、さらに所定の処理（色情報を破棄する色変換処理）を行うことによって、第３の表示用画像データ候補Ｓ（ｇ）を生成する。
【００５６】
なお、表示用画像生成処理部１０２１が生成した第１〜第３の表示用画像データ候補Ｓ（ｃ），Ｓ（ｍ），Ｓ（ｇ）は、出力画像メモリ２０に記憶される。各データＳ（ｃ），Ｓ（ｍ），Ｓ（ｇ）は、それぞれ相当する出力画像データＤｏと別のファイルにて保持する形式としてもよいし、同じファイルにて保持する形式としてもよい。例えば、相当する出力画像データＤｏのヘッダー情報としてデータＳ（ｃ），Ｓ（ｍ），Ｓ（ｇ）を保持してもよい。
【００５７】
また、表示用画像生成処理部１０２１は、原稿となる文書が読み取られて入力画像データＤｉが取得される度毎に、当該取得された入力画像データＤｉについて表示用画像データ候補Ｓ（ｃ），Ｓ（ｍ），Ｓ（ｇ）の生成処理を実行してもよいし、ページ画像表示処理部１０２がユーザよりページ画像表示画面Ｅを表示する指示を受け付けた際に、表示すべき入力画像データＤｉについての表示用画像データ候補Ｓ（ｃ），Ｓ（ｍ），Ｓ（ｇ）を生成してもよい。
【００５８】
ページ画像表示処理部１０２が実行する処理について、図７、図８を参照しながらより具体的に説明する。図７は、ページ画像表示画面Ｅの構成例を示す図である。図８は、更新された新たなページ画像表示画面Ｅｎを示す図である。
【００５９】
〔ページ画像表示画面Ｅの表示処理〕
ページ画像表示処理部１０２は、表示部１５に「ページ画像表示画面Ｅ」を表示させる。ページ画像表示画面Ｅは、読み取られた原稿に含まれる各ページの色属性をユーザに知得させるとともに、各ページの色属性を変更する指示をユーザから受け付ける画面である。
【００６０】
ページ画像表示画面Ｅは、主として、文書情報表示領域ｅ１と、少なくとも１以上（図７においては２つ）のページ情報表示領域ｅ２と、変更指示受付領域ｅ３とにより構成される。ただし、ページ画像表示画面Ｅ中のスクロールバーが操作されることによって、ページ情報表示領域ｅ２に表示させるページが順次変更されていくものとする。つまりユーザは、スクロールバーを操作することによって、文書に含まれる全部のページの情報を見ることができる。
【００６１】
ページ画像表示処理部１０２は、文書情報表示領域ｅ１に、文書の情報を表示する。例えば、文書のファイル名、件名、データのサイズ等を表示する。
【００６２】
また、ページ画像表示処理部１０２は、ページ情報表示領域ｅ２に、文書に含まれるページの情報を１ページ分表示する。
【００６３】
特に、ページ情報表示領域ｅ２中、第１領域ｅ２１には、当該ページのページ番号および色判定部１０１が決定した当該ページの色属性を表示する。
【００６４】
また、ページ情報表示領域ｅ２中、第２領域ｅ２２には、各ページを当該ページの色属性に応じた態様で表示するサムネイル画像（以下において、「表示用画像Ｐ」という）を表示する。より具体的には、表示用画像生成処理部１０２１が各ページについて生成した第１〜第３の表示用画像データ候補Ｓ（ｃ），Ｓ（ｍ），Ｓ（ｇ）のうちから、当該ページの色属性に応じたデータを選択して、当該ページの表示用画像Ｐとして第２領域ｅ２２に表示する。すなわち、色属性が「カラー」のページについては、第１の表示用画像データ候補Ｓ（ｃ）を、色属性が「モノクロ」のページについては、第２の表示用画像データ候補Ｓ（ｍ）を、色属性が「グレー」のページについては、第３の表示用画像データ候補Ｓ（ｇ）を、それぞれ表示用画像Ｐとして、第２領域ｅ２２に表示する。
【００６５】
また、ページ情報表示領域ｅ２中、第３領域ｅ２３には、タッチパネルによって実現され、当該ページに係る出力画像データＤｏの色属性を変更する指示を受け付ける変更キー（カラー変更キーＱｃ、グレー変更キーＱｇ、モノクロ変更キーＱｍ）を表示する。ユーザは、例えば、色属性が「カラー」のページについて、当該ページのページ情報表示領域ｅ２内にあるモノクロ変更キーＱｍを押圧することによって、当該ページの色属性を「カラー」から「モノクロ」に変更する指示を入力することができる。
【００６６】
また、ページ画像表示処理部１０２は、変更指示受付領域ｅ３に、タッチパネルによって実現され、当該文書に係る色属性の変更を実行する指示を受け付ける変更反映キーＱｔを表示する。ユーザは、当該変更反映キーＱｔを押圧することによって、当該文書に含まれる各ページについて入力した変更を実行させる指示を入力することができる。
【００６７】
ページ画像表示処理部１０２が以上の処理を実行することによって、表示部１５にページ画像表示画面Ｅが表示される。
【００６８】
〔ページ画像表示画面Ｅの更新処理〕
ページ画像表示処理部１０２は、文書に含まれる各ページの色属性を変更する指示がユーザから入力された場合に、表示部１５に表示されているページ画像表示画面Ｅを新たなページ画像表示画面Ｅｎに更新する。
【００６９】
ページ画像表示処理部１０２は、ユーザがいずれかのページについてその色属性を変更する指示を入力した場合、文書情報表示領域ｅ１に表示される文書の情報のうち、データのサイズを新たな値に更新する。例えば、文書に含まれるページのいずれかの色属性を「カラー」から「モノクロ」に変更する指示が入力された場合において、当該ページのカラー出力画像データＣｏのデータサイズが「５０ＫＢ」であり、モノクロ出力画像データＭｏのデータサイズが「３０ＫＢ」（ただし、この時点では、モノクロ出力画像データＭｏは実際には生成されていないので、この値はおおよその概算値として算出される）であるとすると、当該変更指示が実行されれば文書全体のデータサイズは「２０ＫＢ」だけ小さくなることになる。この場合、ページ画像表示処理部１０２は、文書情報表示領域ｅ１に表示されているデータのサイズから「２０ＫＢ」を差し引いて、新たな値に更新する。
【００７０】
また、ページ画像表示処理部１０２は、変更指示に係るページ情報表示領域ｅ２に表示する情報を更新する。すなわち、第１領域ｅ２１に、ページの色属性がユーザの指示によって変更された旨を表示する。例えば、「判定色」の表示に加えて新たに「変更色」を表示する。これにより、当該ページの色属性がユーザの指示によって変更されたことが示される。
【００７１】
また、ページ画像表示処理部１０２は、第２領域ｅ２２に表示する表示用画像Ｐを更新する。例えば、ページの色属性を「カラー」から「モノクロ」に変更する指示が入力された場合、第２領域ｅ２２に表示する表示用画像Ｐを、第１の表示用画像データ候補Ｓ（ｃ）から、第２の表示用画像データ候補Ｓ（ｍ）に変更する。
【００７２】
ページ画像表示処理部１０２が以上の処理を実行することによって、表示部１５に表示されるページ画像表示画面Ｅが新たなページ画像表示画面Ｅｎに更新される。
【００７３】
再び図５を参照する。色属性変更受付部１０３は、色属性の変更を実行する指示をユーザより受け付ける。色属性変更受付部１０３は、ユーザより当該指示を受け付けると、変更すべきページのファイルＩＤおよび変更後の色属性を色属性変更処理部１０４に通知する。なお、上述の通り、ユーザは色属性の変更を実行する指示を、ページ画像表示画面Ｅ中の変更反映キーＱｔ（図８参照）を押圧することによって入力することができる。
【００７４】
色属性変更処理部１０４は、色属性変更受付部１０３から色属性を変更すべきページのファイルＩＤおよび変更後の色属性を通知された場合に、ファイル管理テーブルＴ２を更新する。色属性変更処理部１０４は、画像データ変換処理部１０４１を備えている。
【００７５】
画像データ変換処理部１０４１は、変更指示が受け付けられたページの出力画像データＤｏとして出力画像メモリ２０に格納されている画像データを、指示された新たな色属性の画像データに変換する。
【００７６】
例えば、ページの色属性を「カラー」から「グレー」に変更する指示が通知された場合、当該ページの出力画像データＤｏ（すなわち、カラー出力画像データＣｏ）のカラー情報を破棄するとともに、輝度成分を誤差拡散法や組織的ディザ法等を用いて二値化し、得られた輝度成分をＭＭＲ方式等で圧縮する。これによって、カラー出力画像データＣｏがグレー出力画像データＧｏに変換される。
【００７７】
また、例えば、ページの色属性を「カラー」から「モノクロ」に変更する指示が通知された場合、当該ページの出力画像データＤｏ（すなわち、カラー出力画像データＣｏ）のカラー情報を破棄するとともに、輝度成分を単純二値化法等を用いて二値化し、得られた輝度成分をＭＭＲ方式等で圧縮する。これによって、カラー出力画像データＣｏがモノクロ出力画像データＭｏに変換される。
【００７８】
色属性変更処理部１０４が実行する処理について、図４を参照しながらより具体的に説明する。例えば、ファイルＩＤが「１」のページの色属性を「カラー」から「モノクロ」に変更する指示が色属性変更受付部１０３により通知された場合、色属性変更処理部１０４は、ファイル管理テーブルＴ２（図４（ａ））を参照して、通知されたファイルＩＤ「１」と関連づけられた出力画像データＤｏ（すなわち、カラー出力画像データＣｏ）のファイルパス「data\scan\001c.jpg」を特定し、出力画像メモリ２０より当該ページの出力画像データＤｏを読み出す。
【００７９】
ページの出力画像データＤｏが読み出されると、画像データ変換処理部１０４１が、当該出力画像データＤｏの色属性を「カラー」から「モノクロ」に変換して（すなわち、カラー出力画像データＣｏをモノクロ出力画像データＭｏに変換して）、出力画像メモリ２０に格納する。
【００８０】
続いて、色属性変更処理部１０４は、画像データ変換処理部１０４１によって生成されたモノクロ出力画像データＭｏのファイルパス「data\scan\001m.tif」を、ファイルＩＤ「１」と関連づけてファイル管理テーブルＴ２に格納する。また、ファイルＩＤ「１」の色属性を「カラー」から「モノクロ」に変更してファイル管理テーブルＴ２に格納する。これによって、ファイル管理テーブルＴ２が更新される（図４（ｂ））。
【００８１】
再び図５を参照する。変更履歴管理部１０５は、色属性変更受付部１０３が受け付けた色属性の変更指示の履歴（変更指示履歴）を、ＲＡＭ１３等に格納された変更履歴管理テーブルＴ３を用いて管理する。変更指示履歴の管理態様について、図９を参照しながら説明する。図９は、変更履歴管理テーブルＴ３の構成例を示す図である。
【００８２】
変更履歴管理テーブルＴ３は、変更指示履歴を管理するテーブルである。変更履歴管理テーブルＴ３には、「カラー・グレー変更」「カラー・モノクロ変更」「グレー・モノクロ変更」の３つの変更態様についての履歴カウントが記憶される。なお、変更履歴管理テーブルＴ３は、ユーザからの指示に応じて出力可能としてもよい。
【００８３】
変更履歴管理部１０５は、色属性変更受付部１０３が色属性が「カラー」のページを「グレー」に変更すべき旨の指示を受け付けた場合は、「カラー・グレー変更」の履歴カウントを「＋１」とする。また、色属性が「カラー」のページを「モノクロ」に変更すべき旨の指示を受け付けた場合は、「カラー・モノクロ変更」の履歴カウントを「＋１」する。また、色属性が「グレー」のページを「モノクロ」に変更すべき旨の指示を受け付けた場合は、「グレー・モノクロ変更」の履歴カウントを「＋１」する。なお、変更履歴管理部１０５は、所定期間経過した時点で、各履歴カウントを「０」に初期化するとしてもよい。
【００８４】
色判定基準変更部１０６は、色属性変更受付部１０３が受け付けた指示（すなわち、各ページの色属性を変更する旨の指示）の履歴に応じて、色判定部１０１における色判定の基準値を変更する。例えば、変更履歴管理テーブルＴ３において、「カラー・モノクロ変更」の履歴カウントが所定値よりも大きくなった場合（すなわち、ユーザが「カラー」と判定されたデータの色属性を「モノクロ」に変更する指示を所定回数以上行っている場合）、色判定基準変更部１０６は、色判定部１０１におけるカラー・モノクロの判定閾値を、画像データがモノクロと判定されやすくなる方向に変更する。
【００８５】
原稿がカラーかモノクロかを判定する態様には、例えば次のようなものがある。すなわち、Ｌ＊ａ＊ｂ＊等の均等色空間の色相平面（例えば、ａ＊ｂ＊平面）を無彩軸を中心として放射状にエリア分けし、各エリアに属する画素データの個数が所定の閾値を超えた場合に、当該エリアの色相が画像データに存在すると判断する。そして、判定対象の画像データに含まれる色相が複数存在する場合には、当該画像データをカラーと判定する。このような判定態様による色判定を行う場合、色判定基準変更部１０６は、色判定部１０１における当該所定の閾値の値をより大きな値に変更することによって、画像データをモノクロと判定されやすくすることができる。
【００８６】
〈６．色属性の変更に関する処理動作〉
デジタル複合機１が、ページの色属性をユーザからの指示に応じて変更する際の処理動作について、図１０を参照しながら説明する。図１０は、色属性変更処理の流れを示す図である。
【００８７】
なお、以下の処理が実行される前提として、色判定部１０１が原稿に含まれる各ページの色を判定をして、各ページの色属性を決定しているものとする。また、画像読取部１６および画像処理部１７等によって、各ページの出力画像データＤｏが取得されて出力画像メモリ２０に格納されているものとする（図２参照）。またさらに、原稿に含まれる各ページに関する情報が文書管理テーブルＴ１およびファイル管理テーブルＴ２に格納されているものとする（図３、図４参照）。
【００８８】
図１０を参照する。まず、ページ画像表示処理部１０２が、ユーザからの指示に応じて、ユーザが選択指定した文書に係るページ画像表示画面Ｅ（図７参照）を表示部１５に表示させる（ステップＳ１）。なお、ユーザは当該指示を、例えば、出力画像メモリ２０に格納された文書を一覧表示する画面Ｅｏ（図６）から入力することができる。すなわち、当該画面Ｅｏ上において、任意の文書を選択し、当該文書についての「詳細」キー（表示部１５のタッチパネルによって実現されるキー）を押圧することによって、当該文書に係るページ画像表示画面Ｅを表示部１５に表示させる指示を入力することができる。また、ユーザから所定の指示を受けなくとも、画像読取部１６が原稿の読み取り処理を実行する際に、当該読み取った原稿に係るページ画像表示画面Ｅを表示するとしてもよい。
【００８９】
続いて、ページ画像表示処理部１０２が、ページ画像表示画面Ｅに表示されている文書に含まれるページのいずれかについて、その色属性を変更する指示がユーザにより入力されたか否かを判断する（ステップＳ２）。なお、ユーザは当該指示を、例えば、ページ画像表示画面Ｅの第３領域ｅ２３に表示された変更キーＱｃ，Ｑｇ，Ｑｍ（図７参照）のいずれかを押圧することによって入力することができる。
【００９０】
ユーザがいずれかのページについてその色属性を変更する指示を入力したと判断されると（ステップＳ２でＹＥＳ）、ページ画像表示処理部１０２が、ページ画像表示画面Ｅを新たなページ画像表示画面Ｅｎ（図８参照）に更新する（ステップＳ３）。
【００９１】
続いて、色属性変更受付部１０３が、当該文書に係る色属性の変更を実行する指示がユーザにより入力されたか否かを判断する（ステップＳ４）。なお、ユーザは当該指示を、例えば、画像表示画面Ｅｎの変更指示受付領域ｅ３に表示された変更反映キーＱｔ（図８参照）を押圧することによって入力することができる。
【００９２】
ユーザが文書に係る色属性の変更を実行する指示を入力したと判断されると（ステップＳ４でＹＥＳ）、色属性変更受付部１０３は当該指示を受け付けて、変更すべきページのファイルＩＤおよび変更後の色属性を色属性変更処理部１０４に通知する。
【００９３】
当該通知を受けると、色属性変更処理部１０４は、ファイル管理テーブルＴ２を更新する（ステップＳ５）。より具体的には、出力画像データＤｏとして格納されたデータを新たな色属性の画像データに変換するとともに、変更指示が受け付けられたページの新たな色属性および変換後の画像データのファイルパスをデータのファイルＩＤと関連づけてファイル管理テーブルＴ２に格納する。
【００９４】
続いて、変更履歴管理部１０５が、ステップＳ４で色属性変更受付部１０３が受け付けた変更指示の内容を変更履歴管理テーブルＴ３に格納して、変更履歴管理テーブルＴ３を更新する（ステップＳ６）。
【００９５】
続いて、色判定基準変更部１０６が、変更履歴管理テーブルＴ３格納された履歴カウントのうち、所定の値を超えるものがあるか否かを判断し（ステップＳ７）、該当する履歴カウントがあると判断した場合には、色判定部１０１における色判定の基準値を変更する（ステップＳ８）。以上で、色属性の変更に関する処理動作が終了する。
【００９６】
〈７．効果〉
上記の実施の形態に係るデジタル複合機１によると、ユーザは、色判定部１０１が決定したページの色属性をページ単位で任意に変更することができる。
【００９７】
また、画像データ変換処理部１０４１が、変更指示が受け付けられた場合は出力画像データＤｏとして取得されている画像データを新たな色属性の画像データに変換するので、変更指示に備えて複数の出力画像データを保持する必要がない。
【００９８】
また、ページ画像表示処理部１０２が、表示部１５に各ページを当該ページの色属性に応じた態様で表示するサムネイル画像（表示用画像Ｐ）を表示させるので、ユーザは当該画像を見ながら、各ページについて付与されている色属性が所望する通りであるか否かを容易かつ適切に判断することができる。
【００９９】
また、変更履歴管理部１０５が、ユーザから受け付けられた色属性の変更指示の履歴を管理し、色判定基準変更部１０６が当該変更指示の履歴に応じて色判定部１０１における色判定の基準を変更するので、色判定部１０１にユーザの使用状況や好みを反映させた色判定を実行させることができる。
【０１００】
〔第２の実施の形態〕
この発明の第２の実施の形態に相当する画像処理装置の機能が組み込まれたデジタル複合機２の構成について説明する。なお、以下においては、第１の実施の形態と相違する点を説明し、相違しない点については説明を省略する。また、同じ構成部を示す際には、第１の実施の形態の説明で用いた参照符号を用いる。
【０１０１】
〈１．デジタル複合機の構成〉
この実施の形態に係るデジタル複合機２は、第１の実施の形態に係るデジタル複合機１と同様のハードウェア構成を有している（図１参照）。また、デジタル複合機１と同様の通信環境におかれている（図１参照）。
【０１０２】
〈２．画像データの取得処理〉
入力画像データＤｉおよび出力画像データＤｏの取得処理について、図１１を参照しながら説明する。図１１は、入力画像データＤｉおよび出力画像データＤｏを取得する態様を模式的に示す図である。
【０１０３】
デジタル複合機２は、第１の実施の形態に係るデジタル複合機１と同様、多階調の画像データの色を自動に判定する色判定機能を実現する機能部である色判定部２０１を備えている（図１２参照）。入力画像データＤｉを取得するにあたっては、まずこの色判定部２０１が、原稿に含まれる少なくとも１以上のページのそれぞれの色を判定して、各ページの色属性を決定する。各ページの色属性は、後述するファイル管理テーブルＴ２２に記憶される。
【０１０４】
色判定部２０１がページの色属性を決定すると、続いて、画像読取部１６が、ページを読み取って多階調のＲＧＢ画像データを取得する。そして、画像処理部１７が、画像読取部１６が取得したＲＧＢ画像データを、多階調のＹＣｂＣｒ画像データに変換する。得られたＹＣｂＣｒ画像データ（すなわち、カラー入力画像データＣｉ）は、原稿の入力画像データＤｉとして入力画像メモリ１９に記憶される。
【０１０５】
続いて、入力画像データＤｉに基づいて、それぞれが互いに異なる色属性である複数の画像データ（すなわち、「カラー」の画像データ（以下において「第１の出力画像データ候補Ｒ（ｃ）」という）と、「モノクロ」の画像データ（以下において「第２の出力画像データ候補Ｒ（ｍ）」という）をそれぞれ生成する。
【０１０６】
〔第１の出力画像データ候補Ｒ（ｃ）の取得処理〕
第１の出力画像データ候補Ｒ（ｃ）は以下の処理によって生成される。すなわち、ＣＯＤＥＣ２２が、入力画像メモリ１９に記憶された入力画像データＤｉ（すなわち、カラー入力画像データＣｉ）を、ＪＰＥＧ方式等で圧縮する。これにより得られたカラーのデータが第１の出力画像データ候補Ｒ（ｃ）となる。
【０１０７】
〔第２の出力画像データ候補Ｒ（ｍ）の取得処理〕
第２の出力画像データ候補Ｒ（ｍ）は以下の処理によって生成される。まず、画像処理部１７が、入力画像メモリ１９に記憶された入力画像データＤｉ（すなわち、カラー入力画像データＣｉ）のカラー情報を破棄するとともに、輝度成分を単純二値化法を用いて二値化する。そして、ＣＯＤＥＣ２２が、得られたＹＣｂＣｒ画像データの輝度成分をＭＭＲ方式等で圧縮する。これにより得られたモノクロのデータが第２の出力画像データ候補Ｒ（ｍ）となる。
【０１０８】
生成された第１の出力画像データ候補Ｒ（ｃ）および第２の出力画像データ候補Ｒ（ｍ）は、所定の識別符号（ファイルＩＤ）が付与された上で、出力画像メモリ２０に格納される。後述するように、これら２つの出力画像データ候補Ｒ（ｃ），Ｒ（ｍ）のうち、色判定部２０１によって決定されたページの色属性に応じた色属性の画像データのみが、当該ページの出力画像データＤｏとして有効化されることになる（図１１参照）。
【０１０９】
〈３．データ管理の態様〉
デジタル複合機２は、出力画像メモリ２０に格納された出力画像データ候補Ｄｓを、ＲＡＭ１３等に格納された文書管理テーブルＴ１１とファイル管理テーブルＴ２２とを用いて管理する。出力画像データ候補Ｄｓの管理態様について、図３、図１２を参照しながら説明する。図１２は、ファイル管理テーブルＴ２２の構成例を示す図である。文書管理テーブルＴ１１は、先に説明した文書管理テーブルＴ１と同様であるのでその説明を省略する。
【０１１０】
図１２を参照する。ファイル管理テーブルＴ２２は、画像読取部１６が読み取った原稿を、ページ単位で管理するテーブルである。制御部１１は、画像読取部１６が原稿を読み取った際に、当該読み取られた原稿に含まれる各ページに所定のファイルＩＤを付与し、当該ページの色属性（すなわち、色判定部２０１により決定された色属性）および当該ページについて取得された第１の出力画像データ候補Ｒ（ｃ）および第ｍの出力画像データ候補Ｒ（ｍ）の各ファイルパスを、ファイルＩＤと関連づけてファイル管理テーブルＴ２２に格納する。
【０１１１】
ファイル管理テーブルＴ２２に格納された色属性情報は、第１の出力画像データ候補Ｒ（ｃ）と第２の出力画像データ候補Ｒ（ｍ）とのうちのいずれのデータを当該ページの出力画像データＤｏとして有効化するかを決定するフラグとして機能する。すなわち、色属性が「モノクロ」の場合は、第２の出力画像データ候補Ｒ（ｍ）が出力画像データＤｏとして有効化される。一方、色属性が「カラー」もしくは「グレー」の場合は、第１の出力画像データ候補Ｒ（ｃ）が出力画像データＤｏとして有効化される。ただし、色属性が「グレー」のページを実際に出力する場合は、出力画像データＤｏ（すなわち、第１の出力画像データ候補Ｒ（ｃ））に対してさらに所定の処理（色情報を破棄する処理）を行ってから出力する。
【０１１２】
文書管理テーブルＴ１１およびファイル管理テーブルＴ２２を参照すれば、各文書に含まれる各ページの色属性および出力画像データＤｏのファイルパスを特定することができる。例えば、図１２に例示されるファイル管理テーブルＴ２２を参照すれば、文書ＩＤ「１」の第１ページの色属性は「カラー」であり、当該ページについては、第１の出力画像データ候補Ｒ（ｃ）が出力画像データＤｏとして有効化されていることになる。したがって、出力画像データＤｏのファイルパスは「data\scan\001c.jpg」であると特定することができる。
【０１１３】
〈４．色属性の変更に関する構成〉
デジタル複合機２は、色判定部２０１により決定された各ページの色属性を、ユーザからの指示に応じて、ページ単位で変更する機能（色属性変更機能）を備える。
【０１１４】
色属性変更機能について、図１３を参照しながら説明する。図１３は、色属性変更機能に関する構成を示すブロック図である。デジタル複合機２は、色属性変更機能に関する構成として、色判定部２０１と、ページ画像表示処理部２０２と、色属性変更受付部２０３と、色属性変更処理部２０４と、変更履歴管理部２０５と、色判定基準変更部２０６とを備える。なお、これら各機能部は、制御部１１がプログラムを実行することにより実現される構成要素である。ページ画像表示処理部２０２および色属性変更受付部２０３の各機能部は、それぞれ上記に説明したページ画像表示処理部１０２および色属性変更受付部１０３と同様であるのでその説明を省略する。
【０１１５】
色属性変更処理部２０４は、色属性変更受付部２０３から色属性を変更すべきページのファイルＩＤおよび変更後の色属性を通知された場合に、ファイル管理テーブルＴ２２を更新する。より具体的には、変更指示が受け付けられたページの新たな色属性を、データのファイルＩＤと関連づけてファイル管理テーブルＴ２に格納する。変更履歴管理テーブルＴ３の色属性情報が変更されると、出力画像データＤｏとして有効化されるデータが変更されることになる。
【０１１６】
例えば、ファイルＩＤが「１」のページの色属性を「カラー」から「モノクロ」に変更する指示が色属性変更受付部１０３により通知された場合、色属性変更処理部２０４は、ファイルＩＤ「１」の色属性を「カラー」から「モノクロ」に変更してファイル管理テーブルＴ２に格納する。これによって、ファイル管理テーブルＴ２が図４（ａ）に示される状態から図４（ｂ）に示される状態に更新される。
【０１１７】
変更履歴管理部２０５は、色属性変更受付部２０３が受け付けた色属性の変更指示の履歴（変更指示履歴）を、ＲＡＭ１３等に格納された変更履歴管理テーブルＴ３３を用いて管理する。変更指示履歴の管理態様について、図１４を参照しながら説明する。図１４は、変更履歴管理テーブルＴ３３の構成例を示す図である。
【０１１８】
変更履歴管理テーブルＴ３３は、変更指示履歴を管理するテーブルである。変更履歴管理テーブルＴ３３には、「カラー・グレー変更」「カラー・モノクロ変更」「グレー・モノクロ変更」の３つの変更態様についての履歴カウントが記憶される。
【０１１９】
変更履歴管理部２０５は、色属性変更受付部２０３が色属性が「カラー」のページを「グレー」に変更すべき旨の指示を受け付けた場合は、「カラー・グレー変更」の履歴カウントを「＋１」する。逆に、色属性が「グレー」のページを「カラー」に変更すべき旨の指示を受け付けた場合は、「カラー・グレー変更」の履歴カウントを「−１」する。また、色属性が「カラー」のページを「モノクロ」に変更すべき旨の指示を受け付けた場合は、「カラー・モノクロ変更」の履歴カウントを「＋１」する。逆に、色属性が「モノクロ」のページを「カラー」に変更すべき旨の指示を受け付けた場合は、「カラー・モノクロ変更」の履歴カウントを「−１」する。また、色属性が「グレー」のページを「モノクロ」に変更すべき旨の指示を受け付けた場合は、「グレー・モノクロ変更」の履歴カウントを「＋１」する。逆に、色属性が「モノクロ」のページを「グレー」に変更すべき旨の指示を受け付けた場合は、「グレー・モノクロ変更」の履歴カウントを「−１」する。
【０１２０】
色判定基準変更部２０６は、色属性変更受付部２０３が受け付けた指示（すなわち、各ページの色属性を変更する旨の指示）の履歴に応じて、色判定部２０１における色判定の基準値を変更する。例えば、変更履歴管理テーブルＴ３３において、「カラー・モノクロ変更」の履歴カウントが所定値よりも大きくなった場合、色判定基準変更部２０６は、色判定部１０１におけるカラー・モノクロの判定閾値を、画像データがモノクロと判定されやすくなる方向に変更する。また例えば、「カラー・モノクロ変更」の履歴カウントが所定値よりも小さくなった場合（すなわち、ユーザが「モノクロ」と判定されたデータの色属性を「カラー」に変更する指示を所定回数以上行っている場合）、色判定基準変更部２０６は、色判定部２０１におけるカラー・モノクロの判定閾値を、画像データがカラーと判定されやすくなる方向に変更する。
【０１２１】
〈５．色属性の変更に関する処理動作〉
デジタル複合機２が、ページの色属性をユーザからの指示に応じて変更する際の処理動作は、第１の実施の形態に係るデジタル複合機１が実行する一連の処理動作（図１０参照）とほぼ同様である。
【０１２２】
ただし、この実施の形態においては、一連の処理が実行される前提として、色判定部２０１が原稿に含まれる各ページの色を判定をして、各ページの色属性を決定しているものとする。また、画像読取部１６および画像処理部１７等によって、各ページの第１の出力画像データ候補Ｒ（ｃ）および第２の出力画像データ候補Ｒ（ｍ）が取得されて出力画像メモリ２０に格納されているものとする（図１１参照）。またさらに、原稿に含まれる各ページに関する情報が文書管理テーブルＴ１およびファイル管理テーブルＴ２２に格納されているものとする（図３、図１２参照）。
【０１２３】
また、第１の実施の形態においては、ファイル管理テーブルＴ２の更新処理（図１０のステップＳ５の処理）は、色属性変更処理部１０４が出力画像データＤｏとして格納されたデータを新たな色属性の画像データに変換するとともに、変更指示が受け付けられたページの新たな色属性をデータのファイルＩＤと関連づけてファイル管理テーブルＴ２に格納することによって実行されるが、この実施の形態においては、色属性変更処理部２０４が、変更指示が受け付けられたページの新たな色属性をデータのファイルＩＤと関連づけてファイル管理テーブルＴ２に格納することによって行われる。ファイル管理テーブルＴ２２に格納された色属性情報が変更されると、出力画像データＤｏとして有効化されるデータが変更されることになる。
【０１２４】
〈６．効果〉
上記の実施の形態に係るデジタル複合機２によると、ユーザは、色判定部２０１が決定したページの色属性をページ単位で任意に変更することができる。
【０１２５】
また、２種類の画像データ（第１の出力画像データ候補Ｒ（ｃ）、第２の出力画像データ候補Ｒ（ｍ））を生成して出力画像メモリ２０に格納しておき、いずれか１のデータを、ファイル管理テーブルＴ２２に格納された色属性情報に基づいて出力画像データＤｏとして有効化する。したがって、変更指示があった場合にも、色属性情報を変更するだけで、変更後の色属性の画像データを出力画像データＤｏとして取得することができる。
【０１２６】
また、色判定部２０１による色判定の結果に関係なく、各ページについて第１の出力画像データ候補Ｒ（ｃ）と第２の出力画像データ候補Ｒ（ｍ）とを生成するので、カラー、グレー、モノクロの各色の出力画像データＤｏを取得することが可能となる。すなわち、ユーザは、例えばモノクロと判定されたページの色属性を、「カラー」や「グレー」にも変更できる。
【０１２７】
〔変形例〕
上記の各実施の形態においては、色属性変更受付部１０３，２０３は、ページの色変更指示を、表示部１５のディスプレイ画面上に設けたタッチパネル上より受け付ける構成としたが、操作部１４に設けたハードキーなどから受け付けてもよい。
【０１２８】
また、上記の各実施の形態においては、デジタル複合機１，２の備える表示部１５にページ画像表示画面Ｅを表示し、表示部１５のディスプレイ画面上に設けたタッチパネルよりユーザからのページの色属性の変更指示を受け付ける構成としていたが、デジタル複合機１，２と通信回線を介して接続された外部端末２９，３２，３４の備える表示画面上に、上記のページ画像表示画面Ｅを表示して（例えば、ｗｅｂ画面として表示して）、当該外部端末の操作部よりユーザからのページの色属性の変更指示を受け付けてもよい。
【０１２９】
また、上記の各実施の形態においては、色属性の変更に関する各機能部１０１〜１０６，２０１〜２０６は、制御部１１がプログラムを実行することにより実現される構成要素であるとしたが、回路的（ハードウェア的）に実現されてもよい。
【図面の簡単な説明】
【０１３０】
【図１】この発明の実施の形態に係るデジタル複合機の構成を示すブロック図である。
【図２】入力画像データおよび出力画像データを取得する態様を模式的に示す図である。
【図３】文書管理テーブルの構成例を示す図である。
【図４】ファイル管理テーブルの構成例を示す図である。
【図５】色属性変更機能に関する構成を示すブロック図である。
【図６】文書を一覧表示する画面の構成例を示す図である。
【図７】色属性変更受付画面の構成例を示す図である。
【図８】更新後の色属性変更受付画面の構成例を示す図である。
【図９】変更履歴管理テーブルの構成例を示す図である
【図１０】色属性変更処理の流れを示す図である。
【図１１】入力画像データおよび出力画像データを取得する態様を模式的に示す図である。
【図１２】ファイル管理テーブルの構成例を示す図である。
【図１３】色属性変更機能に関する構成を示すブロック図である。
【図１４】変更履歴管理テーブルの構成例を示す図である。
【符号の説明】
【０１３１】
１、２  デジタル複合機
１４  操作部
１５  表示部
１６  画像読取部
１７  画像処理部
１８  画像記録部
１９  入力画像メモリ
２０  出力画像メモリ
１０１，２０１  色判定部
１０２，２０２  ページ画像表示処理部
１０２１  表示用画像生成処理部
１０３，２０３  色属性変更受付部
１０４，２０４  色属性変更処理部
１０４１  画像データ変換処理部
１０５，２０５  変更履歴管理部
１０６，２０６  色判定基準変更部
Ｅ，Ｅｎ  ページ画像表示画面
Ｄｉ  入力画像データ
Ｄｏ  出力画像データ
Ｒ（ｃ）  第１の出力画像データ候補
Ｒ（ｍ）  第２の出力画像データ候補
Ｓ（ｃ）  第１の表示用画像データ候補
Ｓ（ｍ）  第１の表示用画像データ候補
Ｐ  表示用画像
Ｔ１，Ｔ１１  文書管理テーブル
Ｔ２，Ｔ２２  ファイル管理テーブル
Ｔ３，Ｔ３３  変更履歴管理テーブル
【図１】
2008277955.tif 000003
【図２】
2008277955.tif 000004
【図３】
2008277955.tif 000005
【図４】
2008277955.tif 000006
【図５】
2008277955.tif 000007
【図６】
2008277955.tif 000008
【図７】
2008277955.tif 000009
【図８】
2008277955.tif 000010
【図９】
2008277955.tif 000011
【図１０】
2008277955.tif 000012
【図１１】
2008277955.tif 000013
【図１２】
2008277955.tif 000014
【図１３】
2008277955.tif 000015
【図１４】
2008277955.tif 000016